(57)【要約】【課題】  サーチ画像データを有効利用し、カセットテープ内にどのようなシーンが記録されているかが直ちにわかるような仕組みを提供する。【解決手段】  インデックス画像生成モードにおいては、システムデータ読み出し回路１０７によりカセットテープ１０２から読み出された読み出しデータのタイムコードをチェックし、画像縮小回路１０９に対して現在のサーチ画像データを縮小し、インデックス画像データ領域１０５ｃに書き込むか否かの指示を出力する。その後、ＪＰＥＧエンコーダ１１１を起動し、インデックス画像データ領域１０５ｃのインデックス画像データをＪＰＥＧ圧縮し、更にヘッダ等の付随データを書き込んでインデックス画像ファイル１０５ｄを生成し、その生成されたインデックス画像ファイル１０５ｄ及びプリント設定情報をプリンタ１１３に送信して印刷を実行する。【選択図】  図１
2006115331.tif 000002
【特許請求の範囲】
【請求項１】
記録媒体に主画像データとは別にサーチ画像データを記録及び再生することが可能な記録再生装置であって、
前記記録媒体に記録されたサーチ画像データを取り込むか否かを選択する選択手段と、
前記選択手段により選択されて取り込まれたサーチ画像データを用いてインデックス画像データを生成するインデックス画像データ生成手段とを備えたことを特徴とする記録再生装置。
【請求項２】
前記インデックス画像データ生成手段により生成されたインデックス画像データを外部機器に送信するインデックス画像データ送信手段を具備することを特徴とする請求項１に記載の記録再生装置。
【請求項３】
前記インデックス画像送信手段はプリンタにインデックス画像データを送信することを特徴とする請求項２に記載の記録再生装置。
【請求項４】
前記プリンタにインデックス画像データを送信する際に、画面分割数、紙のサイズ、プリントサイズを含むプリンタ設定情報を合わせて送信するプリンタ設定情報送信手段を具備することを特徴とする請求項３に記載の記録再生装置。
【請求項５】
前記インデックス画像データ生成手段は、画面分割数、紙のサイズ、プリントサイズを含むプリンタ設定情報に応じてインデックス画像データを生成することを特徴とする請求項１〜４のいずれか１項に記載の記録再生装置。
【請求項６】
前記選択手段は、前記記録媒体に記録されたシーンの長さと、インデックス画面の分割数に応じて、取り込むサーチ画像データを選択することを特徴とする請求項１〜５のいずれか１項に記載の記録再生装置。
【請求項７】
前記選択手段は、前記主画像データに対して補助的に記録されたシステムデータに応じて、取り込むサーチ画像データを選択することを特徴とする請求項１〜５のいずれか１項に記載の記録再生装置。
【請求項８】
前記選択手段は、前記システムデータのうちの日付情報を利用して、日付が変化したことに応じてサーチ画像データを取り込むことを特徴とする請求項７に記載の記録再生装置。
【請求項９】
前記選択手段は、前記システムデータのうちのシーン記録開始情報を利用して、シーン記録が開始されたことに応じてサーチ画像データを取り込むことを特徴とする請求項７に記載の記録再生装置。
【請求項１０】
インデックス画面の分割数を決定する画面分割数決定手段を備え、前記選択手段は、サーチ画像データを取り込む前に、前記記録媒体に記録された主画像データを事前に確認することで、前記画面分割数に応じてサーチ画像データを取り込むことを特徴とする請求項１〜５のいずれか１項に記載の記録再生装置。
【請求項１１】
前記インデックス画像データ生成手段により生成されたインデックス画像データを前記記録媒体とは別の記録媒体に記録する記録手段を具備することを特徴とする請求項１〜１０のいずれか１項に記載の記録再生装置。
【請求項１２】
前記インデックス画像データ生成手段により生成されたインデックス画像データをＤＣＦ規格に準じたフォーマットで前記別の記録媒体に記録することを特徴とする請求項１１に記載の記録再生装置。
【請求項１３】
前記インデックス画像データ生成手段により生成されたインデックス画像データからサムネイル画像を生成し、そのインデックス画像データ及びサムネイル画像データをＥｘｉｆ規格準拠のファイル形式に変換するＥｘｉｆファイル生成手段を備えたことを特徴とする請求項１１又は１２に記載の記録再生装置。
【請求項１４】
前記Ｅｘｉｆファイル生成手段により生成されるファイルのファイル名は日付情報に応じて定められることを特徴とする請求項１３に記載の記録再生装置。
【請求項１５】
前記別の記録媒体は記録再生装置本体に着脱可能な記録媒体であることを特徴とする請求項１１〜１４のいずれか１項に記載の記録再生装置。
【請求項１６】
前記記録媒体は磁気テープであり、斜め方向に形成された情報トラックに主画像データとは別にサーチ画像データを記録及び再生することを特徴とする請求項１〜１５のいずれか１項に記載の記録再生装置。
【請求項１７】
記録媒体に主画像データとは別にサーチ画像データを記録及び再生することが可能な記録再生装置を用いたインデックス画像生成方法であって、
前記記録媒体に記録されたサーチ画像データを取り込むか否かを選択する選択手順と、
前記選択手順により選択されて取り込まれたサーチ画像データを用いてインデックス画像データを生成するインデックス画像データ生成手順とを有することを特徴とするインデックス画像生成方法。
【請求項１８】
記録媒体に主画像データとは別にサーチ画像データを記録及び再生することが可能な記録再生装置を制御するためのコンピュータプログラムであって、
前記記録媒体に記録されたサーチ画像データを取り込むか否かを選択する選択処理と、
前記選択処理により選択されて取り込まれたサーチ画像データを用いてインデックス画像データを生成するインデックス画像データ生成処理とをコンピュータに実行させることを特徴とするコンピュータプログラム。
【発明の詳細な説明】
【技術分野】
【０００１】
本発明は、磁気テープ等の記録媒体に主画像データとは別にサーチ画像データを記録及び再生することが可能な記録再生装置、その記録再生装置を用いたインデックス画像生成方法、及びコンピュータプログラムに関する。
【背景技術】
【０００２】
ハイビジョン記録が可能なデジタルビデオカメラのように、近年、画像及び音声のデータをＭＰＥＧ（Moving Picture Experts Group）方式のような高度な圧縮方式を用いて記録/再生することが可能となってきている。その方式によれば、特に磁気テープにＭＰＥＧ方式を用いた高画質記録を行うデジタルＶＴＲ（Video Tape Recorder）では、通常再生以外の変速再生（サーチ再生）を行うために、通常再生用のデータとは別の領域にサーチ再生のための専用データ（サーチ画像データ）を記録する方式が既に提案されている（例えば、特許文献１、２参照）。これらの方式では、通常速度の８倍もしくは２４倍といった高速サーチにて、前記サーチ画像データを読み出し表示することが可能である。
【０００３】
これらの提案によれば、８倍速再生用のサーチ画像データは、Ｉピクチャ、Ｐピクチャ、Ｂピクチャにて構成される１５フレームからなる１ＧＯＰ（Group Of Picture）に対して１枚の画像を、テープ上１５０トラック（１５フレーム分のテープ長）に渡って分散的に記録する。また、２４倍速再生用のサーチ画像データは、テープ上４ＧＯＰに対して１枚の画像を、テープ上６００トラック（６０フレーム＝４ＧＯＰ分のテープ長）に渡って分散的に記録する。トラック上の記録位置は、８倍もしくは２４倍の速度でテープを搬送した場合に、テープからのデータを読み込むための磁気ヘッドがトレースする軌跡に沿ったSync Block位置となっている。
【０００４】
図１６はサーチ画像データのトラック上の領域配置を示す図である。８倍速のサーチ画像データは、１６トラックごとに１組のデータが書き込まれており、同図に示すように正/逆８倍の速度でテープを搬送した場合に、（−）アジマスの磁気ヘッドがトラックパターンをトレースする軌跡（傾き）に沿った位置にデータ記録領域が設けられている。従って、８倍速モードでも全てのサーチ画像データを読み出すことが可能である。
【０００５】
図１７を参照して、サーチ画像データを読み出して表示するためのサーチ画像データ再生回路について説明する。１７０１はカセットテープである。１７０２は磁気ヘッドから再生された再生データを増幅する再生アンプである。１７０３は再生アンプ１７０２により増幅された再生データをデジタル信号に変換するＡ/Ｄ変換器である。
【０００６】
１７０４はＡ/Ｄ変換器１７０３から出力されたデジタルデータが書き込まれるＳＤＲＡＭであり、１７０４ａはＳＤＲＡＭ１７０４上に設けられた読み出しデータ領域、１７０４ｂはサーチ画像データ領域である。
【０００７】
１７０５は読み出しデータのエラーを訂正するエラー訂正回路である。１７０６は読み出しデータの中からサーチ画像データを取り込み、ＳＤＲＡＭ１７０４上のサーチ画データ領域１７０４ｂに、図１８に示すような画面形式に応じた構成で書き込むサーチ画像生成回路である。１７０７はサーチ画像データ領域１７０４ｂに記録されたサーチ画像データを取り出してアナログ信号に変換し、モニタに出力するＤ/Ａ変換器である。
【０００８】
高速サーチモードにおいては、磁気テープから読み出されたサーチ画像データを前述したようなサーチ画像データ再生回路回路にて再生することで、８倍速であれば１５フレーム/８（時間）≒０．０６[秒]に１画面程度の更新速度で、連続的にサーチ画像を表示することが可能である。
【０００９】
このようなサーチ画像の画面構成についてはこれまでもいくつかの提案がなされているが、図１８を参照して、輝度データの有効画素が水平×垂直で１４４０×１０８０、色差データの有効画素が水平×垂直で７２０×５４０となる再生画像を、サーチ画像データへと形式変換する場合について説明する。この例では、前述した分解能の画像データを、水平９０×垂直６８マクロブロック（ＭＢ）の画像データに変換する。この場合の１ＭＢの構成は、８画素×８画素の輝度ブロックを水平/垂直方向に２個づつ並べた輝度情報と、そのブロックに対応した８画素×８画素の色差情報（Ｃｒ及びＣｂ）とを組み合わせたものとなっている。これらの情報を通常画像情報より圧縮して短いデータ長に変換することで、図１６にて説明したような比較的狭いサーチ画像データ領域に記録することが可能となる（特許文献１参照）。
【００１０】
【特許文献１】特開２００２−２０９１７９号公報
【特許文献２】特開２００２−３１４９４１号公報
【発明の開示】
【発明が解決しようとする課題】
【００１１】
しかしながら、上述したこれまでの提案においては、サーチ画像データは単に磁気テープを高速で搬送しながら再生する高速サーチ再生に用いられること以外には、有効的な活用方法がなかった。
【００１２】
また、カセットテープ内にどのようなシーンが記録されているかを直ちに知るための有効的な手段はなかった。
【００１３】
本発明は、上記のような点に鑑みてなされたものであり、サーチ画像データを有効利用し、カセットテープ内にどのようなシーンが記録されているかが直ちにわかるような仕組みを提供することを目的とする。より詳しくは、簡単な操作を行うだけでカセットテープ等の記録媒体内の代表的なシーン（画像）を自動的に選択し、ユーザが望むようなインデックス画像を生成し、例えば記録再生装置に直接接続されたプリンタにてダイレクトプリントする仕組みを提供するものである。
【課題を解決するための手段】
【００１４】
本発明の記録再生装置は、記録媒体に主画像データとは別にサーチ画像データを記録及び再生することが可能な記録再生装置であって、前記記録媒体に記録されたサーチ画像データを取り込むか否かを選択する選択手段と、前記選択手段により選択されて取り込まれたサーチ画像データを用いてインデックス画像データを生成するインデックス画像データ生成手段とを備えた点に特徴を有する。
本発明のインデックス画像生成方法は、記録媒体に主画像データとは別にサーチ画像データを記録及び再生することが可能な記録再生装置を用いたインデックス画像生成方法であって、前記記録媒体に記録されたサーチ画像データを取り込むか否かを選択する選択手順と、前記選択手順により選択されて取り込まれたサーチ画像データを用いてインデックス画像データを生成するインデックス画像データ生成手順とを有する点に特徴を有する。
本発明のコンピュータプログラムは、記録媒体に主画像データとは別にサーチ画像データを記録及び再生することが可能な記録再生装置を制御するためのコンピュータプログラムであって、前記記録媒体に記録されたサーチ画像データを取り込むか否かを選択する選択処理と、前記選択処理により選択されて取り込まれたサーチ画像データを用いてインデックス画像データを生成するインデックス画像データ生成処理とをコンピュータに実行させる点に特徴を有する。
【発明の効果】
【００１５】
本発明によれば、サーチ画像データを用いてインデックス画像データを生成するようにしたので、例えばインデックス画像データを外部機器であるプリンタでプリントすることができ、サーチ画像データを有効利用し、カセットテープ内にどのようなシーンが記録されているかが直ちにわかるような仕組みを提供することができる。
【発明を実施するための最良の形態】
【００１６】
以下、添付図面を参照して、本発明の好適な実施形態について説明する。本実施形態では、本発明を磁気テープに映像データ及び音声データをデジタル的に記録するデジタルビデオカメラに適用した例を説明する。
（第１の実施形態）
図１は第１の実施形態のデジタルビデオカメラの主要部の構成を示すブロック図である。１０１は磁気ヘッドを含むメカデッキである。１０２はメカデッキ１０１に装着され、図１６に示したような形式でサーチ画像データが記録されたカセットテープである。１０３はメカデッキ１０１の磁気ヘッドから再生された再生データを増幅する再生アンプである。１０４は再生アンプ１０３により増幅された再生データをデジタル信号に変換するＡ/Ｄ変換器である。
【００１７】
１０５はＳＤＲＡＭであり、Ａ/Ｄ変換器１０４から出力されたデジタルデータ（読み出しデータ）を書き込む読み出しデータ領域１０５ａ、サーチ画像データを書き込むサーチ画像データ領域１０５ｂが設けられている。
【００１８】
１０６は読み出しデータ領域１０５ａに書き込まれた読み出しデータのエラーを訂正するエラー訂正回路である。１０７は読み出しデータ領域１０５ａに書き込まれた読み出しデータからタイムコードや日付情報を読み出すためのシステムデータ読み出し回路である。
【００１９】
１０８はカセットテープ１０２から読み出された読み出しデータの中からサーチ画像データを取り込み、ＳＤＲＡＭ１０５上のサーチ画像データ領域１０５ｂに、図１８に示したような画面形式に応じた構成で書き込むサーチ画像生成回路である。１０９はサーチ画像データを縮小して、ＳＤＲＡＭ１０５上のインデックス画像データ領域１０５ｃの指定されたアドレスに書き込む画像縮小回路である。
【００２０】
１１０はインデックス画像データ領域１０５ｃのインデックス画像データをモニタ出力するためのＤ/Ａ変換器である。１１１はインデックス画像データ領域１０５ｃのインデックス画像データをＪＰＥＧ圧縮し、ＳＤＲＡＭ１０５上にインデックス画像ファイル１０５ｄを生成するＪＰＥＧエンコーダである。
【００２１】
１１２は外部機器としてのプリンタ１１３とＵＳＢ接続を行うためのＵＳＢインタフェース回路である。
【００２２】
１１４はマイクロコンピュータ（マイコン）であり、各部の制御を行う。まず、マイコン１１４はキー入力手段１１５を介してユーザからのキー入力を受け、インデックス画像生成モード等に移行させる。インデックス画像生成モードにおいては、メカデッキ１０１の制御を行い、カセットテープ１０２を高速で搬送させる。また、システムデータ読み出し回路１０７によりカセットテープ１０２から読み出された読み出しデータのタイムコードをチェックし、現在再生されているサーチ画像データをインデックスプリント用に取り込むか否か、すなわち、画像縮小回路１０９に対して現在のサーチ画像データを縮小し、インデックス画像データ領域１０５ｃに書き込むか否かの指示を出力する。サーチ画像データをインデックスプリント用に取り込む場合は、インデックス画像内で何枚目の画像かに応じたアドレスを発生して画像縮小回路１０９に渡す。また、インデックス画像生成モードが終了した時点でＪＰＥＧエンコーダ１１１を起動し、インデックス画像データ領域１０５ｃのインデックス画像データをＪＰＥＧ圧縮し、更にヘッダ等の付随データを書き込んでインデックス画像ファイル１０５ｄを生成する。
【００２３】
また、ユーザからのキー入力によりプリント設定情報を設定する「プリント設定ＵＩ」機能を備え（プリント設定情報入力手段１１６）、プリント実行時には、ＵＳＢインタフェース１１２を制御することで、生成されたインデックス画像ファイル１０５ｄ及び「プリント設定ＵＩ」により設定されたプリント設定情報をプリンタ１１３に送信して印刷を実行する。
【００２４】
ここで、図３には「プリント設定ＵＩ」であるプリント設定画面の一例を示す。プリント設定画面は、デジタルビデオカメラが出力するグラフィックを利用した設定画面であり、ユーザがキー入力手段１１５により操作することが可能である。３０１はレイアウト設定ボタンであり、インデックス画面の分割数を９、１６、２０の中から選択することができる。３０２は用紙サイズ設定ボタンであり、プリントするための用紙サイズをＬ判、２Ｌ判のいずれかに設定することができる。３０３は印刷枚数設定ボタンであり、プリントする枚数を設定することができる。このプリント設定画面により設定された情報はプリント設定情報として記録され、プリント実行時にＵＳＢインタフェース１１２を介してプリンタ１１３に送信される。
【００２５】
次に、図２のフローチャートを参照して、第１の実施形態のデジタルビデオカメラでの処理動作について説明する。ユーザからのキー操作によりインデックスプリントが開始されると、マイコン１１４は、まずカセットテープ１０２をテープ記録終了位置まで早送りする（ステップＳ２０１）。続いて、テープ記録終了位置のタイムコード値を取り込み（ステップＳ２０２）、そのタイムコード値をユーザにより設定されたインデックス画面の分割数で割り算する（ステップＳ２０３）。その値（Ｘ）が、インデックス画面にサーチ画像を取り込む際の取り込み間隔となる。
【００２６】
その後、逆方向サーチを開始し（ステップＳ２０４）、タイムコード値を取り込みながらタイムコードが（Ｘ）だけ巻き戻ったことをチェックして（ステップＳ２０５）、タイムコードが（Ｘ）だけ巻き戻った部分のサーチ画像をインデックス画面に取り込む（ステップＳ２０６）。インデックス画面の分割数だけサーチ画像の取り込みを行ったかどうかのチェックを行い（ステップＳ２０７）、分割数以下だった場合には再度ステップＳ２０５のタイムコードのチェック手順に戻る。
【００２７】
インデックス画面の分割数だけサーチ画像の取り込みが行われた場合には、サーチ動作を停止し（ステップＳ２０８）、ここまでの手順にて生成されたインデックス画像データをＪＰＥＧ圧縮し（ステップＳ２０９）、ＳＤＲＡＭ１０５上にインデックス画像ファイル１０５ｄを生成する。
【００２８】
そして、プリント設定情報とともに、生成されたインデックス画像ファイル１０５ｄをＵＳＢインタフェース１１２を介してプリンタ１１３に出力することでインデックス画像プリントを実行する（ステップＳ２１０、Ｓ２１１）。
【００２９】
（第２の実施形態）
図４は第２の実施形態のデジタルビデオカメラの主要部の構成を示すブロック図である。なお、図１に示したものと同様の構成要素には同一の符号を付すとともに、その詳細な説明は省略する。
【００３０】
１０５ｅはＳＤＲＡＭ１０５上に設けられたインデックス画像データ取り込み領域であり、システムデータを利用して、画像縮小回路１０９により縮小されたサーチ画像データが書き込まれる。１１７は画像処理回路であり、インデックス画像データ取り込み領域１０５ｅのインデックス画像データに対してプリント設定情報に応じた画像処理を行い、印刷用インデックス画像データとしてＳＤＲＡＭ１０５上の印刷用インデックス画像データ領域１０５ｆに書き込む。このようにして完成した印刷用インデックス画像データは、マイコン１１４の制御下でＵＳＢインタフェース１１２を介してプリンタ１１３に送信されて印刷が実行される。
【００３１】
次に、図５のフローチャートを参照して、第２の実施形態のデジタルビデオカメラでの処理動作について説明する。ユーザからのキー操作によりインデックスプリントが開始されると、マイコン１１４は、まずカセットテープ１０２をテープ始端まで巻き戻す（ステップＳ５０１）。続いて、正方向サーチを開始し（ステップＳ５０２）、サーチ画像をインデックス画面に取り込む（ステップＳ５０３）。その際、マイコン１１４はシステムデータ読み出し回路１０７により読み出された日付情報を記録しておき（ステップＳ５０４）、サーチ動作を継続させながら日付が変化したかどうかのチェックを行う（ステップＳ５０５）。
【００３２】
日付が変化したことを検出した場合には、ステップＳ５０３からの手順を繰り返す。日付が変化したことが検出されなかった場合には、カセットテープ１０２が終端まで走行したか否かのチェックを行い（ステップＳ５０６）、終端まで走行するまでステップＳ５０５の手順から繰り返し、テープ終端を検出したならばサーチ動作を停止する（ステップＳ５０７）。
【００３３】
ここまでの手順にてインデックス画像データの生成は終了しているので、インデックス画像データをＪＰＥＧ圧縮し（ステップＳ５０８）、画像処理してＳＤＲＡＭ１０５上に印刷用インデックス画像データを生成する。
【００３４】
そして、プリント設定情報とともに、生成された印刷用インデックス画像データをＵＳＢインタフェース１１２を介してプリンタ１１３に出力することでインデックス画像プリントを実行する（ステップＳ５０９、Ｓ５１０）。
【００３５】
なお、ステップＳ５０５における日付のチェック処理を、記録シーンが変化したことを表すシステムデータである"RecStartフラグ"のチェックに置き換えたり、日付及び"RecStartフラグ"を併用したりすることも可能である。"RecStartフラグ"は、記録開始時に一定期間テープの所定の位置に書き込まれることで、シーンの開始を表すものである。
【００３６】
また、図２で説明したインデックスプリント処理と、図５で説明したインデックスプリント処理とを組み合わせて用いても構わない。
【００３７】
図６に、ここまで説明した構成及び手順にて実行されるインデックスプリント実行画面の例を示す。６０１はインデックス画面プレビュー画面であり、取り込まれたサーチ画像のインデックス表示を行い、その後印刷される画像が事前に確認できるようになっている。６０２は次回に取り込まれるサーチ画像が配置される領域であり、そのことがカーソルにて示されている。６０３は印刷状況確認ウィンドウであり、インデックスプリントの進行状況、現在の状態等を表示する。６０４はサーチ画像表示ウィンドウであり、カセットテープ１０２から再生されているサーチ画像及びタイムコード値をリアルタイムで表示する。６０５は印刷設定確認画面であり、図３に示したユーザにより設定されたレイアウト、用紙設定、印刷枚数等の情報が表示される。６０６はインデックスプリント停止ボタンであり、この停止ボタン６０６を操作することでインデックスプリントを停止することが可能である。
【００３８】
図７に、図６にて説明したインデックスプリント実行画面を表示するための回路ブロック図を示す。なお、図７に示す回路は、図１に示したものの一部を示すものであり、同様の構成要素には同一の符号を付すとともに、その詳細な説明は省略する。
【００３９】
１０５ｇは表示画面データ作成領域であり、画像縮小回路１０９がカセットテープ１０２から随時再生されるサーチ画像データを、マイコン１１４の指示に従って縮小・書き込みを行う領域である。
【００４０】
１０５ｈは情報表示用のビットマップメモリであり、マイコン１１４がグラフィック、ビットマップ文字フォントデータ等を利用して、印刷状況確認ウィンドウ６０３、印刷設定確認画面６０５、インデックスプリント停止ボタン６０６等を描画するためのビットマップパターンを書き込む。書き込まれたビットマップパターン情報は、情報表示回路１１８によって読み出され、表示画面データ作成領域１０５ｈの表示画面データと同等のＹ/Ｃｒ/Ｃｂ形式に変換されて、情報ミックス回路１１９に送出される。
【００４１】
一方、表示画面データ作成領域１０５ｈの表示画面データも毎垂直同期期間ごとに情報ミックス回路１１９に送出されて、情報表示回路１１８から出力されたビットマップパターン情報と足し合わされ、モニタ出力を行うためのＤ/Ａ変換器１１０に出力される。
【００４２】
以上説明したような構成及び手順で、カセットテープ１０２に記録されたサーチ画像データからインデックス画像データを作成し、プリントアウトすることが可能となる。
【００４３】
ところで、図３に示すようなプリント設定画面等によりインデックス画面の分割数（画像取り込み枚数）が予め決められている場合には、図２のフローチャートによる一定間隔での画像取り込みだけでは、ユーザにとって最適なインデックス画像が作成できるとは限らない。
【００４４】
そこで、より最適なインデックス画像をユーザに提供するために、実際にインデックス画像データの取り込みを開始する以前にカセットテープ１０２にどのような形で画像データが記録されているのかの確認を行い、その後のインデックス画像データの取り込み位置を決めることが考えられる。
【００４５】
図８に、このようなインデックス画像の取り込み位置を決定するための事前処理の手順を示す。この手順によると、インデックス画面作成処理が開始されると、マイコン１１４は、まずカセットテープ１０２をテープ記録終了位置までテープを早送りする（ステップＳ８０１）。次に、テープ記録終了位置のタイムコード値Ｔを記録しておき（ステップＳ８０２）、カセットテープ１０２を巻き戻す。その際、ステップＳ８０３〜ステップＳ８０８までの手順により、カセットテープ１０２全体で日付の異なるシーンが何箇所存在するかをチェックする（Ｘの値）。
【００４６】
そして、予め設定されている画面の分割数と日付の異なるシーンの数とを比較して（ステップＳ８０９）、日付の異なるシーンの方が多い場合には、日付の変化点を間引いた取り込み位置をインデックス画像への取り込み位置として設定する（ステップＳ８１０）。また、日付の異なるシーンの方が少ない場合には、日付の変化点に加えて、カセットテープ１０２に記録されたシーン全体の記録時間を分割数に足らない枚数で割ることで算出される位置をインデックス画像の取り込み位置として設定する（ステップＳ８１１、Ｓ８１２）。
【００４７】
（第３の実施形態）
上記実施形態で述べたように、インデックス画像ファイルをプリンタ１１３やパーソナルコンピュータ等の外部機器に送信することができるが、作成されたインデックス画像ファイルは外部機器との送信後やデジタルビデオカメラの本体電源ＯＦＦ時に消えてしまう。そこで、本実施形態では、インデックス画像ファイルをカセットテープ１０２とは別のデジタルビデオカメラに着脱可能なメモリカード等の記録媒体に記録するようにしている。
【００４８】
図９は第３の実施形態のデジタルビデオカメラの主要部の構成を示すブロック図である。なお、図１に示したものと同様の構成要素には同一の符号を付すとともに、その詳細な説明は省略する。
【００４９】
１２０はインデックス画像領域１０５ｃのインデックス画像データをＪＰＥＧ圧縮してインデックス画像ファイル１０５ｉを生成し、更にサムネイル画像を生成してインデックス画像ファイル１０５ｉに書き込むＪＰＥＧエンコーダである。
【００５０】
１２１はサムネイル画像が書き込まれたインデックス画像ファイル１０５ｉからＥｘｉｆファイル形式の画像ファイル１０５ｊを生成するＥｘｉｆファイル生成回路である。
【００５１】
１２２はＥｘｉｆファイル１０５ｊをメモリカード１２３にＤＣＦフォーマットに準拠して記録するＥｘｉｆファイル記録回路である。
【００５２】
マイコン１１４はキー入力手段１１５を介してユーザからのキー入力を受け、インデックス画像生成モード等に移行させる。インデックス画像生成モードにおいては、メカデッキ１０１の制御を行い、カセットテープ１０２を高速で搬送させる。また、システムデータ読み出し回路１０７によりカセットテープ１０２から読み出された読み出しデータのタイムコードをチェックし、現在再生されているサーチ画像データをインデックスプリント用に取り込むか否か、すなわち、画像縮小回路１０９に対して現在のサーチ画像データを縮小し、インデックス画像データ領域１０５ｃに書き込むか否かの指示を出力する。サーチ画像データをインデックスプリント用に取り込む場合は、インデックス画像内で何枚目の画像かに応じたアドレスを発生して画像縮小回路１０９に渡す。
【００５３】
また、インデックス画像生成モードが終了した時点でＪＰＥＧエンコーダ１２０を起動し、インデックス画像データ領域１０５ｃに書き込まれたインデックス画像データをＪＰＥＧ圧縮し、インデックス画像ファイル１０５ｉを作成するとともにサムネイル画像を書き込む。そして、作成されたインデックス画像ファイル１０５ｉは、Ｅｘｉｆファイル生成回路１２１に渡されて、Ｅｘｉｆ形式のファイルフォーマットに変換され、そのＥｘｉｆファイル１０５ｊはＥｘｉｆファイル記録回路１２２により、メモリカード１２３上にＤＣＦフォーマットに準じて記録される。また、メモリカード１２３への記録に用いられたＥｘｉｆファイル１０５ｊは、ＵＳＢインタフェース１１２を介してプリンタ１１３に送信することで印刷を実行することも可能である。
【００５４】
ここで、図１０、１１を参照して、Ｅｘｉｆファイル形式とＤＣＦファーマットについて説明する。Ｅｘｉｆファイルの構成は、図１０に示すように、ファイルの始まりを示すＳＯＩと、アプリケーション・マーカセグメント（ＡＰＰ１）、（ＡＰＰ２）と、量子化テーブル（ＤＱＴ）と、ハフマンテーブル（ＤＨＴ）と、リスタートインターバル（ＤＲＩ）と、フレームヘッダ（ＳＯＦ）と、スキャンヘッダ（ＳＯＳ）と、主画像圧縮データと、ファイルの終了を示す（ＥＯＩ）とを有する構造をとる。ＡＰＰ１は、Ｅｘｉｆ付属情報が記録される領域であり、Ｅｘｉｆファイルの識別コードが記録される他、主画像から生成されるサムネイル画像が記録される。
【００５５】
ＤＣＦフォーマットの構成は、図１１に示すように、ＲＯＯＴの直下にＤＣＦイメージルートディレクトリであるＤＣＩＭが配置され、ＤＣＩＭの直下にＤＣＦオブジェクトを格納する複数のＤＣＦディレクトリが配置される。ＤＣＦディレクトリのディレクトリ名は８文字で構成され、先頭３文字は１００〜９９９の重複しない番号であり、残り５文字は自由文字である。また、ＤＣＦディレクトリに格納される画像ファイルは、前述したＥｘｉｆ規格準拠の画像ファイルであり、拡張子は"JPG"となる。また、ファイル名は拡張子を除く８文字で構成され、先頭４文字は自由文字で残り４文字はファイル番号を示す。
【００５６】
次に、図１２のフローチャートを参照して、第３の実施形態のデジタルビデオカメラでの処理動作について説明する。ユーザからのキー操作によりインデックスプリントが開始されると、マイコン１１４は、まずカセットテープ１０２をテープ記録終了位置まで早送りする（ステップＳ１２０１）。続いて、テープ記録終了位置のタイムコード値を取り込み（ステップＳ１２０２）、そのタイムコード値をユーザにより設定されたインデックス画面の分割数で割り算する（ステップＳ１２０３）。その値（Ｘ）が、インデックス画面にサーチ画像を取り込む際の取り込み間隔となる。
【００５７】
その後、逆方向サーチを開始し（ステップＳ１２０４）、タイムコード値を取り込みながらタイムコードが（Ｘ）だけ巻き戻ったことをチェックして（ステップＳ１２０５）、タイムコードが（Ｘ）だけ巻き戻った部分のサーチ画像をインデックス画面に取り込む（ステップＳ１２０６）。インデックス画面の分割数だけサーチ画像の取り込みを行ったかどうかのチェックを行い（ステップＳ１２０７）、分割数以下だった場合には再度ステップＳ１２０５のタイムコードのチェック手順に戻る。
【００５８】
インデックス画面の分割数だけサーチ画像の取り込みが行われた場合には、サーチ動作を停止し（ステップＳ１２０８）、ここまでの手順にて生成されたインデックス画像データをＪＰＥＧ圧縮し（ステップＳ１２０９）、ＳＤＲＡＭ１０５上にインデックス画像ファイル１０５ｉを生成する。
【００５９】
そして、例えば図１５に示すようなインデックスプリント設定画面においてプリント出力する場合（ステップＳ１２１０）、生成されたインデックス画像ファイル１０５ｉをＵＳＢインタフェース１１２を介してプリンタ１１３に出力することでインデックス印刷を実行する（ステップＳ１２１１）。また、インデックスプリントしたインデックス画像ファイル１０５ｉをメモリカード１２３に記録する場合（ステップＳ１２１２）、インデックス画像からサムネイル画像を作成し（ステップＳ１２１３）、Ｅｘｉｆファイル変換した後（ステップＳ１２１４）、メモリカード１２３にＤＣＦフォーマットに準拠して記録する（ステップＳ１２１５）。
【００６０】
それに対して、図１５に示すようなインデックスプリント設定画面においてプリント出力しない場合（ステップＳ１２１０）、ステップＳ１２１３〜Ｓ１２１５と同様に、インデックス画像からサムネイル画像を作成し（ステップＳ１２１７）、Ｅｘｉｆファイル変換した後（ステップＳ１２１８）、メモリカード１２３にＤＣＦフォーマットに準拠して記録する（ステップＳ１２１９）。
【００６１】
上述した図１２のフローチャートによって生成され、メモリカード１２３に記録されるインデックス画像ファイル１０５ｉのファイルサイズは固定してもよいが、図１３に示すように画面分割数が多い場合はファイルサイズを大きくする等、Ｅｘｉｆファイルのファイルサイズを画面分割に応じて変化させることも可能である。
【００６２】
更に、図１４に示すように、ＤＣＦオブジェクト名は、図１１で説明したように先頭４文字を自由文字に設定できるので、Ｅｘｉｆファイル記録回路１２２によりメモリカード１２３に記録する際に、サーチ時に読込まれるシステムデータの日付情報からＤＣＦオブジェクト名を自動生成することも可能である。
【００６３】
以上述べたように、サーチ画像データからインデックス画像データを生成して、Ｅｘｉｆ規格準拠のファイルとして作成し、本体装置に着脱可能なメモリカード１２３上にＤＣＦに準拠して記録することにより、ユーザは一度プリントアウトで作成したファイルを利用して繰り返しプリントすることが可能となる。しかも、メモリカードを利用するＤＣＦ規格に準拠する機器間であれば、インデックス画像ファイルを容易に取り扱うことが可能となる。
【００６４】
なお、本発明の目的は、上述した実施形態の機能を実現するソフトウェアのプログラムコードを記録した記録媒体を、システム或いは装置に供給し、そのシステム或いは装置のコンピュータ（又はＣＰＵやＭＰＵ）が記録媒体に格納されたプログラムコードを読み出し実行することによっても、達成されることは言うまでもない。
【００６５】
この場合、記録媒体から読み出されたプログラムコード自体が上述した実施形態の機能を実現することになり、プログラムコード自体及びそのプログラムコードを記録した記録媒体は本発明を構成することになる。
【００６６】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６７】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)等が実際の処理の一部又は全部を行い、その処理によって上述した実施形態の機能が実現される場合も含まれることは言うまでもない。
【００６８】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６９】
【図１】第１の実施形態のデジタルビデオカメラの主要部の構成を示すブロック図である。
【図２】第１の実施形態のデジタルビデオカメラでの処理動作について説明するフローチャートである。
【図３】プリント設定画面の一例を示す図である。
【図４】第２の実施形態のデジタルビデオカメラの主要部の構成を示すブロック図である。
【図５】第２の実施形態のデジタルビデオカメラでの処理動作について説明するフローチャートである。
【図６】インデックスプリント実行画面の例を示す図である。
【図７】インデックスプリント実行画面を表示するための回路ブロック図である。
【図８】インデックス画像の取り込み位置を決定するための事前処理を説明するフローチャートである。
【図９】第３の実施形態のデジタルビデオカメラの主要部の構成を示すブロック図である。
【図１０】Ｅｘｉｆファイル形式について説明するための図である。
【図１１】ＤＣＦファーマットについて説明するための図である。
【図１２】第３の実施形態のデジタルビデオカメラでの処理動作について説明するフローチャートである。
【図１３】画面分割数とＥｘｉｆファイルサイズとの関係を示す図である。
【図１４】ＤＣＦオブジェクト名の作成概要を説明するための図である。
【図１５】インデックスプリント設定画面の一例を示す図である。
【図１６】サーチ画像データのトラック上の領域配置を示す図である。
【図１７】サーチ画像データ再生回路の構成を示す図である。
【図１８】サーチ画像データの画面構成例を示す図である。
【符号の説明】
【００７０】
１０１    メカデッキ
１０２    カセットテープ
１０３    再生アンプ
１０４    Ａ/Ｄ変換器
１０５    ＳＤＲＡＭ
１０６    エラー訂正回路
１０７    システムデータ読み出し回路
１０８    サーチ画像生成回路
１０９    画像縮小回路
１１０    Ｄ/Ａ変換器
１１１    ＪＰＥＧエンコーダ
１１２    ＵＳＢインタフェース回路
１１３    プリンタ
１１４    マイクロコンピュータ
１１５    キー入力手段
１１６    プリント設定情報入力手段
１１７    画像処理回路
１２０    ＪＰＥＧエンコーダ
１２１    Ｅｘｉｆファイル生成回路
１２２    Ｅｘｉｆファイル記録回路
【図１】
2006115331.tif 000003
【図２】
2006115331.tif 000004
【図３】
2006115331.tif 000005
【図４】
2006115331.tif 000006
【図５】
2006115331.tif 000007
【図６】
2006115331.tif 000008
【図７】
2006115331.tif 000009
【図８】
2006115331.tif 000010
【図９】
2006115331.tif 000011
【図１０】
2006115331.tif 000012
【図１１】
2006115331.tif 000013
【図１２】
2006115331.tif 000014
【図１３】
2006115331.tif 000015
【図１４】
2006115331.tif 000016
【図１５】
2006115331.tif 000017
【図１６】
2006115331.tif 000018
【図１７】
2006115331.tif 000019
【図１８】
2006115331.tif 000020